(57)【要約】【課題】携帯電話の機種が異なっても情報処理装置との接続を自在に行うことが可能であり、しかも情報処理装置に接続したときに携帯電話に充電することができる携帯電話用アダプタを提供する。【解決手段】一端に情報処理装置側端子４、他端に第１の携帯電話側端子３を有する接続ケーブル５の、第１の携帯電話側端子３に接続可能な中継端子１０Ｂと、第１の携帯電話側端子３とは異なるタイプの第２の携帯電話側端子１０Ａとを備え、中継端子１０Ｂと第２の携帯電話側端子１０Ａとが中間にケーブルを介することなく一体成形されている。中継端子１０Ｂは、第１の携帯電話側端子３の受け口に設けられている全てのキー溝を受入れる大きな溝１４を有している。【選択図】　　　　図１
0003097615.tif 000002
【実用新案登録請求の範囲】
【請求項１】
一端に情報処理装置側端子、他端に第１の携帯電話側端子を有する接続ケーブルの、前記第１の携帯電話側端子に接続可能な中継端子と、
前記第１の携帯電話側端子とは異なるタイプの第２の携帯電話側端子とを備え、
前記中継端子と前記第２の携帯電話側端子とがケーブルを介することなく一体成形されてなることを特徴とする携帯電話用アダプタ。
【請求項２】
請求項１に記載の携帯電話用アダプタにおいて、
前記中継端子は、前記第１の携帯電話側端子の受け口に設けられているキー溝の異種形状にかかわらず受入れることのできる最大の溝を有するものであることを特徴とする請求項１に記載の携帯電話用アダプタ。
【請求項３】
請求項１に記載の携帯電話用アダプタにおいて、
前記中継端子と前記第２の携帯電話側端子との間に設けられる電気回路に電圧調整回路を組み込んだことを特徴とする携帯電話用アダプタ。
【請求項４】
請求項１に記載の携帯電話用アダプタにおいて、
前記中継端子と前記第２の携帯電話側端子の各受け口の向きが異なるようにしたことを特徴とする携帯電話用アダプタ。
【考案の詳細な説明】
【０００１】
【考案の属する技術分野】
本考案は、携帯電話から文字、音楽、絵等をパソコンやメモリ装置等の情報処理装置に接続するときに使用する携帯電話用アダプタに関する。
【０００２】
【従来の技術】
携帯電話にはパソコン等の情報処理装置と接続するためのデータ通信端子が設けられている。このデータ通信端子の仕様は規定されている。これにより通信業者や携帯電話メーカにかかわらず電子メールの送受信やインターネットなどのデータ通信が共通で接続できるようになっている。したがって、図５に示すように、パソコン１と携帯電話２とを接続ケーブル５で繋ぐことによりデータ通信をすることができる（特許文献１）。接続ケーブル５は、例えば、一端に情報処理装置のＵＳＢ（Ｕｎｉｖｅｒｓａｌ　Ｓｅｒｉａｌ　Ｂｕｓ）ポートに差し込まれるＵＳＢ端子（情報処理装置側端子）４を備え、他端に携帯電話のデータ通信ポートに差し込まれる端子（携帯電話側端子）３を備えたものである。
【０００３】
【特許文献１】
特開２０００−２１４９５０号公報
【０００４】
【考案が解決しようとする課題】
ところで、上記のような従来の技術には、次のような解決すべき課題があった。
携帯電話のデータ通信端子にはＰＤＣ（Ｐｅｒｓｏｎａｌ　Ｄｉｇｉｔａｌ　Ｃｅｌｌｕｌａｒ；デジタル無線通信方式）対応タイプと、ＣＤＭＡ（Ｃｏｄｅ　Ｄｉｖｉｓｉｏｎ　Ｍｕｌｔｉｐｌｅ　Ａｃｃｅｓｓ；符号分割多重接続）対応タイプのものがある。これらのタイプのデータ通信端子は、それぞれ受け口の形状が異なっており、接続の互換性がない。したがって、図５に示すようにパソコン１に、携帯電話２とは別種のデータ通信端子を備えた携帯電話６を繋ぐ場合には、接続ケーブル５の携帯電話側端子３と異なる携帯電話側端子７を有する別異の接続ケーブル９を使用する必要がある。
本考案は、以上のような課題を解決すべくなされたものであり、携帯電話の機種が異なっても情報処理装置との接続を自在に行うことが可能であり、しかも情報処理装置に接続したときに携帯電話に充電することができる携帯電話用アダプタを提供することを目的とする。
【０００５】
【課題を解決するための手段】
本考案は以上の点を解決するため、次の構成を採用する。
〈構成１〉
一端に情報処理装置側端子、他端に第１の携帯電話側端子を有する接続ケーブルの、上記第１の携帯電話側端子に接続可能な中継端子と、上記第１の携帯電話側端子とは異なるタイプの第２の携帯電話側端子とを備え、上記中継端子と上記第２の携帯電話側端子とがケーブルを介することなく一体成形されてなることを特徴とする携帯電話用アダプタ。
【０００６】
接続ケーブルは、携帯電話のメモリに記憶された情報をノートパソコン等の情報処理装置に転送等をする際に、携帯電話と情報処理装置との間を繋ぐものとして一般に知られているケーブルである。本考案のアダプタの中継端子は、その接続ケーブルの一端に設けられている携帯電話側端子と接合可能である。接続ケーブルと本考案のアダプタとを組み合わせることにより、２種以上の携帯電話をパソコン等に接続することができる。また、中継端子と前記第２の携帯電話側端子とは、例えばゴムあるいはプラスチックのモールド成形により一体成形され、ケーブルを介していないのでコンパクト化が可能である。
【０００７】
〈構成２〉
構成１に記載の携帯電話用アダプタにおいて、上記中継端子は、上記第１の携帯電話側端子の受け口に設けられているキー溝の異種形状にかかわらず受入れることのできる最大の溝を有するものであることを特徴とする請求項１に記載の携帯電話用アダプタ。
【０００８】
接続ケーブルの携帯電話側端子の受け口には機種によって形状の異なるキー溝が設けられているが、中継端子にはこのキー溝を構成する突条を全て受入れることのできる最大の溝が設けられている。したがって、接続ケーブルの携帯電話側端子の機種が異なることによる互換性の問題を解消できる。
【０００９】
〈構成３〉
構成１に記載の携帯電話用アダプタにおいて、上記中継端子と上記第２の携帯電話側端子との間に設けられる電気回路に電圧調整回路を組み込んだことを特徴とする携帯電話用アダプタ。
【００１０】
本考案の携帯電話用アダプタを介して携帯電話とパソコン等の情報処理装置とを接続した場合は、携帯電話に充電することができるが、電圧調整回路を組み込んであることにより、タイプの異なる携帯電話であっても自動的に電圧調整がなされスムーズに充電ができる。
【００１１】
〈構成４〉
構成１に記載の携帯電話用アダプタにおいて、上記中継端子と上記第２の携帯電話側端子の各受け口の向きが異なるようにしたことを特徴とする携帯電話用アダプタ。
【００１２】
中継端子と第２の携帯電話側端子の各受け口の向きとしては、互いに１８０度の角度で正反対に向いていてもよいが、アダプタ本体の中央部を折り曲げた形状として直交したり、任意の角度に向いていてもよい。各端子の受け口の向きが互いに異なることにより、状況に応じて携帯電話を接続し易くする。
【００１３】
【考案の実施の形態】
本考案の実施の形態を図を用いて説明する。
図１は本考案の携帯電話用アダプタの一実施形態を示す概略図である。
図１（ａ）において、携帯電話用アダプタ１０は、一端に中継端子１０Ｂ、他端に携帯電話側端子１０Ａとを備えており、かつ両端子１０Ｂ、１０Ａが中間にケーブルを介することなくゴムあるいはプラスチック等の絶縁材料により一体成形されている。
中継端子１０Ｂは、図５に示した接続ケーブル５の携帯電話側端子３の接合部３Ａと着脱自在に接続可能な構成とされている。すなわち、図１（ｂ）、（ｃ）に示すように中継端子１０Ｂは、受け口内に複数の導線を埋め込んだ挿入子１２と、大きな溝１４とを設けた構造とされている。
【００１４】
一方、携帯電話側端子３の接合部３Ａは一般に知られた構成のものである。接合部３Ａは、例えば図１（ｄ）、（ｅ）に示すように、外面に所定のキー溝１１が形成されており、中継端子１０Ｂの挿入子１２を受入れる内孔１９に、挿入子１２の各導線に当接される複数の導線を埋め込んだ形の突出部とされている。なお、携帯電話のデータ通信端子には携帯電話の機種によって異なるキー溝が設けられているものがある。このため、このような携帯電話のデータ通信端子に接続される携帯電話側端子にも適合可能なキー溝１１が設けられている。
【００１５】
中継端子１０Ｂの大きな溝１４は、携帯電話側端子３の接合部３Ａに設けられているキー溝１１を構成する複数の突条でも一括して受入れることが可能なように大きく形成されている。すなわち、中継端子１０Ｂの受け口内の、大きな溝１４を含む外形は、携帯電話側端子３の接合部３Ａをスムーズに挿入することができる大きさとされている。したがって、中継端子１０Ｂと携帯電話側端子３の接合部３Ａとはなんら支障なく接合可能である。
【００１６】
図２に携帯電話側端子１０Ａの受け口の概要を示している。携帯電話側端子１０Ａは、図１（ｄ）、（ｅ）に示した携帯電話側端子３の接合部３Ａとは異なるタイプで一般に知られた構成のものである。例えば接続ケーブル５の携帯電話側端子３がＰＤＣ対応タイプであれば、携帯電話側端子１０ＡはＣＤＭＡ対応タイプである。
【００１７】
図３は携帯電話側端子１０Ａの成形方法を説明するための図である。
携帯電話側端子１０Ａは、一例として図３（ａ）に示すように成形される。すなわち、ゴムあるいはプラスチック等の絶縁体１７に、所定の電気回路を構成する複数の導線１３を、一部を露出させた状態で埋め込む。複数の導線１３の端部は絶縁体１７の端縁において等間隔に配列されている。これらの導線１３のうち、電力供給用となる導線には、後述する携帯電話の充電の際に機能する充電用電圧レベルを調整するための、電圧調整回路１６が組み込まれる。このようにされた絶縁体１７の２枚を、所定の間隔をおいて対向配置し、両者を適当な周知手段を用いて結合することにより、携帯電話側端子１０Ａを構成する。なお、電圧調整回路１６は２枚の絶縁体１７のいずれか一方にのみ設けられてもよい。
【００１８】
また他の成形方法の例としては、図３（ｂ）に示すように成形される。すなわち、絶縁体１７の端縁に、複数の短い導線１８を等間隔に配列すると共に一部を露出させた状態で埋め込む。また絶縁体１７の中間部に、所定の回路基板１５を配置する。回路基板１５には、後述する携帯電話の充電の際に機能する充電用電圧レベルを調整するための、所定の電圧調整回路１６が組み込まれている。そして、複数の短い導線１８を、それぞれ回路基板１５の導体端部を半田付けする。このようにされた絶縁体１７の２枚を、所定の間隔をおいて対向配置し、両者を、ゴムあるいはプラスチックによるモールド成形等の適当な周知手段を用いて結合することにより、携帯電話側端子１０Ａを構成する。なお、電圧調整回路１６は２枚の絶縁体１７のいずれか一方にのみ設けられてもよい。
【００１９】
図４は、本考案のアダプタの変形例として、中継端子と携帯電話側端子の各受け口の向きが異なるようにした携帯電話用アダプタを示している。この携帯電話用アダプタは、本体２０の中央部から折り曲げた形状をなしており、その中継端子２０Ｂと携帯電話側端子２０Ｂの各受け口の向きが直交した構成である。
【００２０】
上記のように構成された本考案の携帯電話用アダプタは、携帯電話をパソコン等の情報処理装置に接続する際に、図５に示すように１本の接続ケーブル５では接続することができない場合に、その接続ケーブル５の携帯電話側端子３に接合されて使用される。すなわち、１本の接続ケーブル５との組み合わせで殆どの携帯電話に対応することができる。
また、本考案の携帯電話用アダプタを介して携帯電話とパソコン等の情報処理装置とを接続した場合は、携帯電話に充電されるが、タイプの異なる携帯電話に対しても電圧調整回路１６を組み込んであることにより、自動的に充電もできる。
【図面の簡単な説明】
【図１】本考案に係る携帯電話用アダプタの一実施例を示す図で、（ａ）はアダプタ全体の概略図、（ｂ）はアダプタの一端部を示す斜視図、（ｃ）は（ｂ）の平面図、（ｄ）は接続ケーブルの携帯電話側端子を示す斜視図、（ｅ）は（ｄ）の平面図である。
【図２】同実施例の一端部を示す斜視図である。
【図３】同実施例の構成部品の一部を示す図で、（ａ）は一例を解体して示す斜視図、（ｂ）は他の例を解体して示す斜視図である。
【図４】本考案の他の実施例を示す斜視図である。
【図５】パソコンと携帯電話との間でデータ通信を行う場合の説明図である。
【符号の説明】
１　パソコン
２　携帯電話
３　第１の携帯電話側端子
４　情報処理装置側端子
５　接続ケーブル
１０　携帯電話用アダプタ
１０Ａ　第２の携帯電話側端子
１０Ｂ　中継端子
１２　挿入子
１４　溝
【図１】
0003097615.tif 000003
【図２】
0003097615.tif 000004
【図３】
0003097615.tif 000005
【図４】
0003097615.tif 000006
【図５】
0003097615.tif 000007